(57)【要約】【課題】基板に悪影響を及ぼすことなく、コネクタの有する複数の端子を所定の整列状態に保持する保持部材を提供すること。【解決手段】本発明による保持部材１は、コネクタ２の備える複数の端子３に嵌合されて、複数の端子３を所定の整列状態に保持する本体４を備える保持部材であって、複数の端子３を対応する基板５の接続孔６に挿通するにあたって、本体４を複数の端子３の延在方向かつ基板５から離隔する方向にスライドさせる突部７を備えるとともに、本体４に対して突部７を取り外し可能とすることを特徴とする。【選択図】図４
2009064626.tif 000002
【特許請求の範囲】
【請求項１】
コネクタの備える複数の端子に嵌合されて、前記複数の端子を所定の整列状態に保持する本体を備える保持部材であって、
前記複数の端子を対応する基板の接続孔に挿通するにあたって、前記本体を前記複数の端子の延在方向かつ前記基板から離隔する方向にスライドさせる突部を備えるとともに、前記本体に対して前記突部を取り外し可能とすることを特徴とする保持部材。
【請求項２】
前記突部を前記本体に対して前記本体の厚み方向に嵌合可能とすることを特徴とする請求項１に記載の保持部材。
【請求項３】
前記突部を前記本体に対して前記本体の厚み方向に垂直な方向に嵌合可能とすることを特徴とする請求項１に記載の保持部材。
【請求項４】
前記突部を前記本体の厚み方向に垂直な方向に延在するスリットを介して前記本体に設けることを特徴とする請求項１に記載の保持部材。
【発明の詳細な説明】
【技術分野】
【０００１】
本発明は、乗用車、トラック、バス等の車両に適用される電子装置、オフィスや家庭にて適用される電子装置に適用されて好適なコネクタの有する複数の端子を所定の整列状態に保持する保持部材に関する。
【背景技術】
【０００２】
基板に電子装置を接続するコネクタとしては、例えば特許文献１に記載されたようなものがあり、対応する基板の接続孔に対して、複数の端子を挿通して、複数の端子を基板の接続孔に対して半田付けすることにより、コネクタの複数の端子と基板とを電気的に接続することが行われている。
【０００３】
このようなコネクタにおいては、複数の端子を対応する基板の接続孔に挿通するにあたり、複数の端子の整列状態が製造工程や搬送工程で他の部品や機器等と接触しても適切な整列状態を保持し、対応する基板の接続孔に対する挿通を容易なものとするために、複数の端子を所定の整列状態に保持する保持部材が備えられている。
【０００４】
このような保持部材は、挿通時においてのみ必要であって、挿通後においては、基板と保持部材の熱膨張係数の差により、半田付け部分に応力が作用して半田部分の疲労破壊を招くことを防止するために、前記複数の端子を対応する基板の接続孔に挿通する際において、保持部材を基板から離隔する方向に移動させるための脚部すなわち突部が備えられている。
【特許文献１】特開平６−４５０３７号公報
【発明の開示】
【発明が解決しようとする課題】
【０００５】
ところが、このようなコネクタにおいては、挿通後においても保持部材を基板から離隔する方向に移動させる脚部すなわち突部を依然として備えているため、この脚部すなわち突部から基板に対して継続して応力が作用して、基板に悪影響を及ぼすことが懸念されるという問題があった。
【０００６】
本発明は、上記問題に鑑み、基板に悪影響を及ぼすことなく、コネクタの有する複数の端子を所定の整列状態に保持する保持部材を提供することを目的とする。
【課題を解決するための手段】
【０００７】
上記の問題を解決するため、本発明に係る保持部材は、
コネクタの備える複数の端子に嵌合されて、前記複数の端子を所定の整列状態に保持する本体を備える保持部材であって、
前記複数の端子を対応する基板の接続孔に挿通するにあたって、前記本体を前記複数の端子の延在方向かつ前記基板から離隔する方向にスライドさせる突部を備えるとともに、前記本体に対して前記突部を取り外し可能とすることを特徴とする。
【０００８】
なお、前記突部を前記本体に対して前記本体の厚み方向に嵌合可能とすることが好ましい。
【０００９】
これによれば、前記突部を前記本体に対してより簡易な手段により取り外し可能とすることができる。このことにより、前記コネクタの備える複数の端子を、前記複数の端子に対応する基板の接続孔に挿通するにあたって、前記突部が前記基板に当接することにより、前記本体を前記複数の端子の延在方向かつ前記基板から離隔する方向にスライドさせた後は、当該突部を前記本体から取り外して、当該突部が前記基板に対して継続して応力を作用させて、前記基板に悪影響を及ぼすことを防止することができる。
【００１０】
あるいは、前記突部を前記本体に対して前記本体の厚み方向に垂直な方向に嵌合可能としてもよい。
【００１１】
これによっても、前記突部を前記本体に対してより簡易な手段により取り外し可能とすることができる。このことにより、前記コネクタの備える複数の端子を、前記複数の端子に対応する基板の接続孔に挿通するにあたって、前記突部が前記基板に当接することにより、前記本体を前記複数の端子の延在方向かつ前記基板から離隔する方向にスライドさせた後は、当該突部を前記本体から取り外して、当該突部が前記基板に対して継続して応力を作用させて、前記基板に悪影響を及ぼすことを防止することができる。
【００１２】
さらに、前記突部を前記本体の厚み方向に垂直な方向に延在するスリットを介して前記本体に設けることを特徴としても良い。
【００１３】
これによっても、前記突部を前記本体に対してより簡易な手段により取り外し可能とすることができる。このことにより、前記コネクタの備える複数の端子を、前記複数の端子に対応する前記基板の前記接続孔に挿通するにあたって、前記突部が前記基板に当接することにより、前記本体を前記複数の端子の延在方向かつ前記基板から離隔する方向にスライドさせた後は、当該突部と前記本体の間に位置して前記スリットにより構成される狭幅部分において破断することにより、前記突部を前記本体から取り外して、当該突部が前記基板に対して継続して応力を作用させて、前記基板に悪影響を及ぼすことを防止することができる。
【発明の効果】
【００１４】
本発明によれば、基板に悪影響を及ぼすことなく、コネクタの有する複数の端子を所定の整列状態に保持する保持部材を提供することができる。
【発明を実施するための最良の形態】
【００１５】
以下、本発明を実施するための最良の形態について、添付図面を参照しながら説明する。
【００１６】
図１は、本発明に係わる保持部材すなわち保持プレート１の一実施形態を示す模式図であり、図２は、本発明に係わる保持部材すなわち保持プレート１の一実施形態をコネクタ２の幅方向から視て示す模式図であり、図３は、本発明に係わる保持プレート１を基板５との関係において示す模式図である。
【００１７】
図１〜３に示すように、保持プレート１は、コネクタ２の備える複数の端子３に嵌合されて、これらの複数の端子３を所定の整列状態に保持する保持プレート本体４を備えるものであって、複数の端子３を対応する基板５の接続孔６に挿通するにあたって、保持プレート本体４を複数の端子３の延在方向かつ基板５から離隔する方向にスライドさせる脚部７を備えるとともに、保持プレート本体４に対して脚部７を取り外し可能としている。ここで、図１〜３においては、脚部７を保持プレート本体４に対して取り外し可能とする具体的構造についての図示は省略している。
【００１８】
なお、保持プレート１は請求項中の記載の保持部材に該当し、保持プレート１の保持プレート本体４は請求項中の記載の本体に該当し、脚部７は請求項中の記載の突部に該当する。また、複数の端子３はコネクタ２の正面から垂直に突出した後、Ｌ字状に直角に屈曲する形態のものであり、複数の端子３の延在方向とは、Ｌ字状に直角に屈曲した部分から、基板５の接続孔６に接続される側の先端部にかけての部分の延在方向を指す。なお、コネクタ２の正面とは、複数の端子３が引き出される面を指す。
【００１９】
加えて、保持プレート本体４はその厚み方向に貫通する保持孔４ａを、コネクタ２の正面の左右方向および垂直方向に所定の間隔を有する行列状に備えている。この保持孔４ａに対して、コネクタ２の複数の端子３のＬ字状に直角に屈曲する部分から基板５の接続孔６に接続される側の先端部にかけての部分が遊びをもって嵌合されており、保持プレート本体４ひいては保持プレート１は前述した複数の端子３の延在方向に対して、スライド可能となっている。
【００２０】
さらに、コネクタ２には保持プレート１の保持プレート本体４の端子３の延在方向へのスライドを規制するための、爪部８及び爪部９が設けられており、この爪部８及び爪部９はコネクタ２の正面の左右方向に延在するくさび形状の凸条部をなし、図３に示すように、コネクタ２の正面に対して傾斜する面が基板５に対向するように形成され、コネクタ２の正面に対してほぼ垂直な面が基板５に対して反対側に設けられている。
【００２１】
この爪部８及び爪部９は、複数の端子３の延在方向すなわち基板５に対して垂直な方向に、保持プレート本体４の厚みに相当する距離だけ離隔して設けられており、図２に示すように、コネクタ２の複数の端子３を基板５の接続孔６に挿通していない状態においては、保持プレート１の保持プレート本体４を爪部８と爪部９により挟持して、複数の端子３の延在方向へのスライドを規制している。
【００２２】
このように構成される保持プレート１を複数の端子３に嵌合された状態のコネクタ２を、図３に示すように、基板５の接続孔６に複数の端子３を挿通させる過程において、脚部７の基板５に対向する面が基板５に当接する。このように、脚部７の基板５に対向する面が基板５に当接した後、さらに基板５の接続孔６に複数の端子３を挿通させると、基板５から脚部７に対して、保持プレート１ひいては保持プレート本体４を基板５から離隔する方向かつ複数の端子３の延在方向にスライドさせる力が作用することとなる。
【００２３】
この力の作用に基づいて、保持プレート１の保持プレート本体４は、端子３の延在方向かつ基板５から離隔する方向にスライドさせられて、爪部８の傾斜面による規制力に打ち勝って基板５から離隔する方向にスライドつまりは移動させられて、爪部８の基板５の反対側のコネクタ２の正面に対してほぼ垂直をなす面上に乗り上げて保持される。
【００２４】
さらに、本実施例の保持プレート１においては、保持プレート本体４に対して、脚部７を取り外し可能としているため、上述したように、コネクタ２の複数の端子３を基板５の接続孔６に挿入する作業が終了し、保持プレート１が爪部８の傾斜面の規制力に打ち勝って、爪部８の基板５の反対側のコネクタ２の正面に対して垂直な面に保持された後は、保持プレート本体４から脚部７を取り外す。
【００２５】
次に、保持プレート本体４に対して脚部７を取り外し可能とする構成の具体例について、図面を用いて説明する。図４は、本発明に係わる保持プレート１の一実施形態の脚部７を含む断面を示す模式断面図である。
【００２６】
図４に示すように、保持プレート本体４に孔部１０を設け、脚部７にはこの孔部１０に嵌合する形態の爪部１１を設ける。孔部１０は保持プレート本体４の厚み方向に貫通する穴状に形成され、爪部１１は脚部７の保持プレート本体４に対向する側に、孔部１０の保持プレート本体４の厚み方向に垂直をなす壁面に当接する傾斜面を有するものであって、図４に示すように脚部７に対して一対設けられ、これらの一対の爪部１１は取り外し可能となるように所定の間隔を有して設けられ、一対の爪部１１の有する傾斜面は相互に逆方向に指向するように構成される。
【００２７】
このように、保持プレート１に孔部１０及び爪部１１を構成することにより、図２に示したように、コネクタ２の複数の端子３を基板５の接続孔６に挿通しない状態においては、脚部７の爪部１１を保持プレート本体４の孔部１０に嵌合させ、図３に示すように、コネクタ２の複数の端子３を基板５の接続孔６に挿通した後の状態においては、保持プレート１の保持プレート本体４から脚部７の爪部１１を傾斜面と反対方向に引き抜くことにより、図４中右側に示すように保持プレート本体４から脚部７を取り外すことが可能となる。
【００２８】
あるいは、保持プレート本体４に対して脚部７を取り外し可能とする構成の具体的構成としては、以下のような構成を採用することもできる。図５は、本発明に係わる保持プレート１の一実施形態の脚部７を含む断面を示す模式断面図である。
【００２９】
図５に示すように、保持プレート本体４のコネクタ２の正面に対する反対側の端部４ｂに対して嵌合する嵌合溝１２を、脚部７のコネクタ２の正面と対向する面に形成する。
【００３０】
このように、保持プレート１の脚部７に嵌合溝１２を構成することにより、図２に示したように、コネクタ２の複数の端子３を基板５の接続孔６に挿通しない状態においては、脚部７の嵌合溝１２を保持プレート本体４のコネクタ２の正面に対する反対側の端部４ｂに嵌合させ、図３に示すように、コネクタ２の複数の端子３を基板５の接続孔６に挿通した後の状態においては、保持プレート１の保持プレート本体４に対して脚部７の嵌合溝１２を引き抜くことにより、図５中右側に示すように、保持プレート本体４から脚部７を取り外すことが可能となる。
【００３１】
さらに、保持プレート本体４に対して脚部７を取り外し可能とする構成の具体的構成としては、以下のような構成を採用することもできる。図６は、本発明に係わる保持プレート１の一実施形態の脚部７を含む断面を示す模式断面図である。
【００３２】
図６に示すように、保持プレート本体４のコネクタ２の正面に対する反対側の端部４ｂに対して、脚部７を、保持プレート本体４の厚み方向に垂直な方向に延在するスリット１３を介して設ける。この場合において、脚部７を保持プレート本体４に対してスリット１３を構成するように一体的に形成しても良いし、接着剤等の手段によりスリット１３を構成するように脚部７を保持プレート本体４に対して接合して構成しても良い。
【００３３】
このように、保持プレート１の保持プレート本体４にスリット１３を介して脚部７を設けることにより、図２に示したように、コネクタ２の複数の端子３を基板５の接続孔６に挿通していない状態においては、保持プレート本体４に対して脚部７を一体的に符合させ、図３に示すように、コネクタ２の複数の端子３を基板５の接続孔６に挿通した後の状態においては、図６中右側に示すように、スリット１３により構成される狭幅部分４ｃを破断することにより、保持プレート１の保持プレート本体４に対して脚部７を取り外すことが可能となる。
【００３４】
加えて、保持プレート本体４に対して脚部７を取り外し可能とする構成の具体的構成としては、以下のような構成を採用することもできる。図７は、本発明に係わる保持プレート１の一実施形態の脚部７を含む断面を示す模式断面図である。
【００３５】
図７に示すように、保持プレート本体４のコネクタ２の正面に対する反対側かつコネクタ２の正面から視て左右両端の隅部４ｄに対して、脚部７を、保持プレート本体４の厚み方向に垂直な方向に延在するスリット１４を介して設ける。この場合において、脚部７を保持プレート本体４に対してスリット１４を構成するように一体的に形成しても良いし、接着剤等の手段によりスリット１４を構成するように接合して構成しても良い。
【００３６】
このように、保持プレート１の保持プレート本体４にスリット１４を介して脚部７を設けることにより、図２に示したように、コネクタ２の複数の端子３を基板５の接続孔６に挿通していない状態においては、保持プレート本体４に対して脚部７を一体的に付合させ、図３に示すように、コネクタ２の複数の端子３を基板５の接続孔６に挿通した後の状態においては、スリット１４により構成される狭幅部分４ｅを破断することにより、図７中右側に示すように、保持プレート１の保持プレート本体４に対して脚部７を取り外すことが可能となる。
【００３７】
以上述べた本実施例の保持プレート１によれば、以下のような作用効果を得ることができる。すなわち、突部に該当する脚部７を本体に該当する保持プレート本体４に対してより簡易な手段により取り外し可能とすることができ、このことにより、コネクタ２の備える複数の端子３を、複数の端子３に対応する基板５の接続孔６に挿通するにあたって、脚部７が基板５に当接することにより、保持プレート本体４を複数の端子３の延在方向かつ基板５から離隔する方向にスライドさせた後は、脚部７を保持プレート本体４から取り外して、脚部７が基板５に対して継続して応力を作用させて、基板５に悪影響を及ぼすことを防止することができる。すなわち、基板５の耐久性を高めることができる。
【００３８】
なお、図４から図７に示した、脚部７と保持プレート本体４の態様は、コネクタ２が適用される状況に応じて適宜選択することが好ましい。例えば図４に示した保持プレート１においては、保持プレート本体４に対して孔部１０を設けるスペース上の余裕があり、脚部７を保持プレート本体４に対して継続的に取り付け、取り外しを行う場合において有効である。
【００３９】
また、図５に示した保持プレート１においては、図４に示した構成のように、保持プレート本体４に対して孔部１０を設けるスペース上の余裕がない場合において、脚部７を保持プレート本体４に対して繰り返し取り付け、取り外しを行う場合において有効である。加えて、図４に示した保持プレート１に比べて、脚部７を保持プレート本体４から取り外すにあたり、その取り外し方向を保持プレート本体４の厚み方向ではなく、保持プレート本体４の厚み方向に垂直な方向つまりは延在方向とすることができるので、脚部７を保持プレート本体４の厚み方向に移動させるスペース上の余裕がない場合に有利な構成である。
【００４０】
さらに、図６及び図７に示した保持プレート１においては、コネクタ２の複数の端子３を基板５の接続孔６に対して挿通することが、一回のみであり、脚部７を保持プレート本体４に対して繰り返し取り付け取り外しを行う必要がない場合において有用である。
【００４１】
また、図６に示したスリット１３により構成される狭幅部分４ｃと、図７に示したスリット１４により構成される狭幅部分４ｅとの比較においては、前者の狭幅部分４ｃを破断するにあたり作用させる力の方向は、保持プレート本体４の厚み方向に垂直な方向であり、後者の狭幅部分４ｅを破断するにあたり作用させる力の方向は、保持プレート本体４の厚み方向であるので、周辺部品との間隙がどのように構成されるかにより、いずれかが適切であるかが決定されるので、これを考慮して適宜都合のよい構成を選択すればよい。
【００４２】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００４３】
本発明は、基板に悪影響を及ぼすことなく、コネクタの有する複数の端子を所定の整列状態に保持する保持部材に関するものであり、比較的軽微な変更により、所望の効果を得ることができるので、乗用車、トラック、バス等の様々な車両に用いられる保持部材はもとより家庭用、オフィス用、産業上の電子機器に適用して有益なものである。
【図面の簡単な説明】
【００４４】
【図１】本発明に係る保持部材の一実施形態を示す模式図である。
【図２】本発明に係る保持部材の一実施形態を示す模式図である。
【図３】本発明に係る保持部材の一実施形態を示す模式図である。
【図４】本発明に係る保持部材の一実施形態を示す模式図である。
【図５】本発明に係る保持部材の一実施形態を示す模式図である。
【図６】本発明に係る保持部材の一実施形態を示す模式図である。
【図７】本発明に係る保持部材の一実施形態を示す模式図である。
【符号の説明】
【００４５】
１      保持プレート
２      コネクタ
３      端子
４      保持プレート本体
４ａ    保持孔
４ｂ    端部
４ｃ    狭幅部分
４ｄ    隅部
４ｅ    狭幅部分
５      基板
６      接続孔
７      脚部
８      爪部
９      爪部
１０      孔部
１１      爪部
１２      嵌合溝
１３      スリット
１４      スリット
【図１】
2009064626.tif 000003
【図２】
2009064626.tif 000004
【図３】
2009064626.tif 000005
【図４】
2009064626.tif 000006
【図５】
2009064626.tif 000007
【図６】
2009064626.tif 000008
【図７】
2009064626.tif 000009